(57)【要約】【課題】商業施設に設けられた複数のレジから貨幣と商品券の両者をそれぞれ収集して効率良く処理することを課題とする。【解決手段】入金処理装置１００は、操作者及び回収元のレジの識別情報を受け付けて認証し、貨幣を受け付けて、受け付けた貨幣の金種を識別するとともに金種別の枚数を計数し、商品券を受け付けて、受け付けた商品券の種類を識別するとともに商品券の種類別の枚数を計数し、受け付けた貨幣及び商品券を収納し、認証情報、収納した貨幣の金額に係る情報及び収納した商品券の金額に係る情報を入金履歴データに登録するとともに、これらの内容を含むレシートを発行するようにした。【選択図】図１
2016162227.tif 000002
【特許請求の範囲】
【請求項１】
貨幣を収納する貨幣収納部と、
商品券を収納する商品券収納部と、
商業施設に配設された決済装置から回収された貨幣を受け付けて金種を識別し、前記貨幣収納部に収納するよう制御する貨幣収納制御手段と、
前記決済装置から回収された商品券を受け付けて商品券の種類を識別し、前記商品券収納部に収納するよう制御する商品券収納制御手段と、
前記決済装置あるいはその操作者を特定する識別情報を受け付ける識別情報受付手段と、
前記識別情報受付手段により受け付けた前記識別情報に関連付けて、前記貨幣収納制御手段により前記貨幣収納部に収納された貨幣の金額と、前記商品券収納制御手段により前記商品券収納部に収納された商品券の金額とを記憶する記憶手段と
を備えたことを特徴とする有価媒体処理システム。
【請求項２】
前記貨幣収納制御手段により前記貨幣収納部に収納された貨幣の金額と、前記商品券収納制御手段により前記商品券収納部に収納された商品券の金額とを同一の媒体に出力する出力手段
をさらに備えたことを特徴とする請求項１に記載の有価媒体処理システム。
【請求項３】
前記貨幣収納制御手段により前記貨幣収納部に収納された貨幣の金額と、前記商品券収納制御手段により前記商品券収納部に収納された商品券の金額とを異なる媒体に出力する出力手段
をさらに備えたことを特徴とする請求項１に記載の有価媒体処理システム。
【請求項４】
前記記憶手段により記憶された前記貨幣収納制御手段により前記貨幣収納部に収納された貨幣の金額と、前記商品券収納制御手段により前記商品券収納部に収納された商品券の金額とに基づいて、前記貨幣収納部に収納された貨幣の金額の集計結果と、前記商品券収納部に収納された商品券の金額の集計結果とを出力する集計出力手段
をさらに備えたことを特長とする請求項１〜３のいずれか一つに記載の有価媒体処理システム。
【請求項５】
前記決済装置における貨幣及び商品券以外で決済された売上金額を示す他売上金額を受け付ける他売上金額受付手段と、
前記識別情報受付手段により受け付けた前記識別情報に関連付けて、前記他売上金額受付手段により受け付けた他売上金額を記憶する他売上金額記憶手段と、
前記他売上金額記憶手段により記憶された他売上金額の集計結果を出力する他売上金額集計出力手段と
をさらに備えたことを特長とする請求項１〜４のいずれか一つに記載の有価媒体処理システム。
【請求項６】
紙葉類の画像情報を取得する画像情報取得部
をさらに備え、
前記貨幣収納制御手段は、
前記画像情報取得部により取得される前記決済装置から回収された紙幣の画像情報に基づいて前記紙幣の金種を識別し、
前記商品券収納制御手段は、
前記画像情報取得部により取得される前記決済装置から回収された商品券の画像情報に基づいて前記商品券の種類を識別する
ことを特長とする請求項１〜５のいずれか一つに記載の有価媒体処理システム。
【請求項７】
商業施設に配設された決済装置あるいはその操作者を特定する識別情報を受け付ける識別情報受付ステップと、
前記決済装置から回収された貨幣を受け付けて金種を識別し、該貨幣を収納する貨幣収納部に収納するよう制御する貨幣収納制御ステップと、
前記決済装置から回収された商品券を受け付けて商品券の種類を識別し、該商品券を収納する商品券収納部に収納するよう制御する商品券収納制御ステップと、
前記識別情報受付ステップにより受け付けた前記識別情報に関連付けて、前記貨幣収納制御ステップにより前記貨幣収納部に収納された貨幣の金額と、前記商品券収納制御ステップにより前記商品券収納部に収納された商品券の金額とを記憶する記憶ステップと
を含んだことを特徴とする有価媒体処理方法。
【発明の詳細な説明】
【技術分野】
【０００１】
この発明は、スーパーマーケットや百貨店等の大型の商業施設（以下、「商業施設」と言う）において、売場に配設される決済装置であるＰＯＳ（Point of sale）端末から回収した貨幣等の有価媒体を収納する有価媒体処理システム及び有価媒体処理方法に関する。
【背景技術】
【０００２】
従来、商業施設には、複数のレジが設けられており、顧客が所望の商品を購入したい場合には、複数のレジのいずれかに赴いて商品の決済を行うことになる。各レジには、ＰＯＳ端末が設置されており、最近では、かかるＰＯＳ端末に釣銭機が併設されており、店員が顧客から貨幣を受け取ったならば、該貨幣を釣銭機に投入するとともに、釣銭機から払い出される貨幣すなわち釣銭を顧客に手渡すことになる。また、各レジでは、商品券を取り扱うこともでき、店員が顧客から商品券を受け取った場合には、この商品券で商品の決済を行うとともに、この商品券をレジ内の商品券格納場所に保管することになる。
【０００３】
ここで、かかる商業施設では、ＰＯＳ端末又は釣銭機に所在する貨幣、商品券格納場所に保管された商品券を営業終了後に回収する必要がある。このため、複数のＰＯＳ端末からそれぞれ店員が収集した貨幣を「貨幣入金機」と呼ばれる装置に入金し、警送会社等が、貨幣入金機に入金された貨幣すなわち各ＰＯＳ端末から収集された貨幣を一括して回収する技術が知られている（例えば、特許文献１参照）。
【０００４】
また、各レジからそれぞれ回収された商品券を受け付け、受け付けた商品券を分類して「商品券入金機」と呼ばれる装置に収納するとともに、収納した商品券を一括して回収する技術も知られている（例えば、特許文献２参照）。
【０００５】
これらの従来技術を用いることにより、商業施設に複数のレジが設けられる場合に、各レジに所在する貨幣を「貨幣入金機」に集約するとともに、各レジに所在する商品券を「商品券入金機」に集約することができ、警送会社等が迅速かつ効率良く貨幣及び商品券を回収することが可能となる。
【先行技術文献】
【特許文献】
【０００６】
【特許文献１】特許３８６５９６８号
【特許文献２】特開２０１４−０４４６６３号公報
【発明の概要】
【発明が解決しようとする課題】
【０００７】
しかしながら、上記従来技術では、店員がレジから収集した貨幣については貨幣入金機に入金し、レジから収集した商品券については商品券入金機に収納する必要があるため、店員は、レジ番号や担当者情報などの共通する情報を貨幣入金機と商品券入金機にそれぞれ入力せねばならず、効率的ではない。
【０００８】
また、貨幣入金機に入金された貨幣の情報と、商品券入金機に収納された商品券の情報とが、それぞれ別の用紙に印刷されることから、貨幣と商品券が同じレジから収集されたものであるにも係わらず、これらに関する情報をまとめて管理するには、ステープラーで綴じたり、一枚の紙に貼り付ける作業が必要になるという問題もある。
【０００９】
さらに、かかる貨幣入金機及び商品券入金機は、商業施設内のセキュリティが確保された領域（いわゆるバックヤード）に設置されることになるが、両装置（商業施設の規模によっては、それぞれ複数台）をかかる領域に設置するとなると、設置スペース上の問題が生じる。場合によっては、貨幣入金機よりも優先度の低い商品券入金機が設置されない状況も生ずる。
【００１０】
これらのことから、商業施設に設けられた複数のレジから貨幣と商品券の両者をそれぞれ収集した場合に、いかに効率良く貨幣と商品券を処理するかが重要な課題となっている。
【００１１】
本発明は、上記の従来技術の課題を解決するためになされたものであって、商業施設に設けられた複数のレジから貨幣と商品券の両者をそれぞれ収集して効率良く集積することができる有価媒体処理システム及び有価媒体処理方法を提供することを目的とする。
【課題を解決するための手段】
【００１２】
上述した課題を解決し、目的を達成するため、本発明は、貨幣を収納する貨幣収納部と、商品券を収納する商品券収納部と、商業施設に配設された決済装置から回収された貨幣を受け付けて金種を識別し、前記貨幣収納部に収納するよう制御する貨幣収納制御手段と、前記決済装置から回収された商品券を受け付けて商品券の種類を識別し、前記商品券収納部に収納するよう制御する商品券収納制御手段と、前記決済装置あるいはその操作者を特定する識別情報を受け付ける識別情報受付手段と、前記識別情報受付手段により受け付けた前記識別情報に関連付けて、前記貨幣収納制御手段により前記貨幣収納部に収納された貨幣の金額と、前記商品券収納制御手段により前記商品券収納部に収納された商品券の金額とを記憶する記憶手段とを備えたことを特徴とする。
【００１３】
また、本発明は、上記発明において、前記貨幣収納制御手段により前記貨幣収納部に収納された貨幣の金額と、前記商品券収納制御手段により前記商品券収納部に収納された商品券の金額とを同一の媒体に出力する出力手段をさらに備えたことを特徴とする。
【００１４】
また、本発明は、上記発明において、前記貨幣収納制御手段により前記貨幣収納部に収納された貨幣の金額と、前記商品券収納制御手段により前記商品券収納部に収納された商品券の金額とを異なる媒体に出力する出力手段をさらに備えたことを特徴とする。
【００１５】
また、本発明は、上記発明において、前記記憶手段により記憶された前記貨幣収納制御手段により前記貨幣収納部に収納された貨幣の金額と、前記商品券収納制御手段により前記商品券収納部に収納された商品券の金額とに基づいて、前記貨幣収納部に収納された貨幣の金額の集計結果と、前記商品券収納部に収納された商品券の金額の集計結果とを出力する集計出力手段をさらに備えたことを特長とする。
【００１６】
また、本発明は、上記発明において、前記決済装置における貨幣及び商品券以外で決済された売上金額を示す他売上金額を受け付ける他売上金額受付手段と、前記識別情報受付手段により受け付けた前記識別情報に関連付けて、前記他売上金額受付手段により受け付けた他売上金額を記憶する他売上金額記憶手段と、前記他売上金額記憶手段により記憶された他売上金額の集計結果を出力する他売上金額集計出力手段とをさらに備えたことを特長とする。
【００１７】
また、本発明は、上記発明において、紙葉類の画像情報を取得する画像情報取得部をさらに備え、前記貨幣収納制御手段は、前記画像情報取得部により取得される前記決済装置から回収された紙幣の画像情報に基づいて前記紙幣の金種を識別し、前記商品券収納制御手段は、前記画像情報取得部により取得される前記決済装置から回収された商品券の画像情報に基づいて前記商品券の種類を識別することを特長とする。
【００１８】
また、本発明は、商業施設に配設された決済装置あるいはその操作者を特定する識別情報を受け付ける識別情報受付ステップと、前記決済装置から回収された貨幣を受け付けて金種を識別し、該貨幣を収納する貨幣収納部に収納するよう制御する貨幣収納制御ステップと、前記決済装置から回収された商品券を受け付けて商品券の種類を識別し、該商品券を収納する商品券収納部に収納するよう制御する商品券収納制御ステップと、前記識別情報受付ステップにより受け付けた前記識別情報に関連付けて、前記貨幣収納制御ステップにより前記貨幣収納部に収納された貨幣の金額と、前記商品券収納制御ステップにより前記商品券収納部に収納された商品券の金額とを記憶する記憶ステップとを含んだことを特徴とする。
【発明の効果】
【００１９】
本発明の有価媒体処理システム及び有価媒体処理方法によれば、商業施設に配設された決済装置あるいはその操作者を特定する識別情報を受け付け、決済装置から回収された貨幣を受け付けて金種を識別し、貨幣を収納する貨幣収納部に収納するよう制御し、決済装置から回収された商品券を受け付けて商品券の種類を識別し、商品券を収納する商品券収納部に収納するよう制御し、受け付けた識別情報に関連付けて、貨幣収納部に収納された貨幣の金額と、商品券収納部に収納された商品券の金額とを記憶するよう構成したので、商業施設に設けられた複数のレジから貨幣と商品券の両者をそれぞれ収集して効率良く処理することができる。
【図面の簡単な説明】
【００２０】
【図１】図１は、本発明に係る商業施設に設置される入金処理装置におけるレジごとの売上金の入金処理の概要を説明するための図である。
【図２】図２は、本発明に係る入金処理装置の外観構成を示す斜視図である。
【図３】図３は、図２に示した入金処理装置の物理的な内部構成を示す模式図である。
【図４】図４は、図２に示した入金処理装置の機能的な内部構成を示すブロック図である。
【図５】図５は、図４に示した入金処理装置のデータ構成を示す図である。
【図６】図６は、図２に示した入金処理装置において売上金の入金処理時に表示操作部に表示される画面の構成と、当該画面における操作による画面遷移を示す図である。
【図７】図７は、図２に示した入金処理装置においてレシートプリンタで出力されるレシートの出力内容を示す図である。
【図８】図８は、図２に示した入金処理装置における売上金の入金処理の処理手順を示すフローチャートである。
【図９】図９は、図２に示した入金処理装置に通帳プリンタを接続して筐体の上に載置する場合の表示操作部の接続形態の変形例を示す図である。
【図１０】図１０は、図２に示した入金処理装置の物理的な内部構成の変形例を示す模式図である。
【図１１】図１１は、図４に示したオプション機器であるカセット解錠機による回収カセットの解錠に係る操作方法を示す図である。
【図１２】図１２は、図１１で示したカセット解錠機による回収カセットの解錠が行われる仕組みを示す図である。
【発明を実施するための形態】
【００２１】
以下に、添付図面を参照して、本発明に係る有価媒体処理システム及び有価媒体処理方法の好適な実施例を詳細に説明する。
【実施例】
【００２２】
まず、本発明に係る商業施設に設置される入金処理装置１００におけるレジごとの売上金の入金処理の概要について図１を用いて説明する。図１では、レジ担当者が、レジ及び担当者を識別する担当者カードを用いて、売場のレジから回収された貨幣及び商品券を入金処理装置１００に入金するケースを例として処理の概要を説明する。
【００２３】
レジ担当者は、最初に担当者カードを入金処理装置１００のＩＣカードリーダ７１に通してカードに記憶されている情報を読み取らせることによって認証処理を行う。具体的には、担当者カードから担当者の識別情報を読み取って、読み取った担当者の識別情報に基づいてレジの識別情報を特定する。また、レジの識別情報については表示操作部７４等を用いて担当者が入力するようにしてもよい。または、担当者がレジで売上金の回収操作が行われたときに、担当者カードのＩＣチップにレジの識別情報を書き込むようにして、入金処理装置１００では、担当者カードのＩＣチップの内容を読み取ることよって、レジの識別情報を特定するようにしてもよい。
【００２４】
認証を行った後に、レジ担当者は、レジから回収した紙幣を投入部１０に投入して、レジから回収した硬貨を硬貨投入部１１０に投入して、表示操作部７４により貨幣入金の指示操作を行うことによって貨幣の入金処理を実行する。入金処理装置１００は、貨幣入金の指示操作を受け付けると、投入部１０に投入された紙幣を繰り出して、内部の識別部２０により繰り出された紙幣の真贋及び金種の識別を行い、真券と判定された紙幣の金種別の枚数を計数する。また、入金処理装置１００は、硬貨投入部１１０に投入された硬貨を繰り出して、内部の硬貨識別部１２０により繰り出された硬貨の真贋及び金種の識別を行い、真貨と判定された硬貨の金種別の枚数を計数する。
【００２５】
貨幣の計数処理が終了したならば、レジから回収した商品券を投入部１０に投入して、表示操作部７４により商品券入金の指示操作を行うことによって商品券の入金処理を実行する。入金処理装置１００は、商品券入金の指示操作を受け付けると、投入部１０に投入された商品券を繰り出して、内部の識別部２０により繰り出された商品券の真贋及び種類の識別を行い、商品券の種類別の枚数の計数を行う。
【００２６】
紙幣、硬貨及び商品券の計数処理が行われると、入金処理装置１００は、表示操作部７４に計数処理結果を表示して、表示した内容により入金処理を行う旨の操作（承認操作）を受け付けると、計数された紙幣、硬貨及び商品券をそれぞれ所定の収納部に収納するとともに、収納した紙幣、硬貨及び商品券にかかる情報を入金履歴データ９０ｃに登録する。また、入金処理装置１００は、担当者及び回収元のレジの識別情報を含む認証情報と、収納した紙幣及び硬貨に係る入金情報と、収納した商品券に係る入金情報とを含む（１枚の）レシート（入金結果明細）を発行する。
【００２７】
このように、入金処理装置１００は、操作者及び回収元のレジの識別情報を受け付けて認証し、貨幣を受け付けて、受け付けた貨幣の金種を識別するとともに金種別の枚数を計数し、商品券を受け付けて、受け付けた商品券の種類を識別するとともに商品券の種類別の枚数を計数し、受け付けた貨幣及び商品券を収納し、認証情報、収納した貨幣の金額に係る情報及び収納した商品券の金額に係る情報を入金履歴データ９０ｃに登録するとともに、これらの内容を含むレシートを発行するようにしたので、商業施設に設けられた複数のレジから貨幣と商品券の両者をそれぞれ収集して効率良く処理することができる。
【００２８】
次に、本発明に係る入金処理装置１００の外観構成を説明する。図２は、入金処理装置１００の外観構成を示す斜視図である。
【００２９】
入金処理装置１００の最上部には、各種処理メニュー及び処理に係る画面の表示と操作者の入力操作を受け付けることのできるタッチ式のディスプレイである表示操作部７４が配置される。また、表示操作部７４の右側には、担当者カードなどのＩＣカードを読み取るためのＩＣカードリーダ７１が配置される。
【００３０】
また、表示操作部７４の下方には、紙幣及び商品券の投入を受け付ける投入部１０が配置される。投入部１０に紙幣又は商品券を投入する場合には、表示操作部７４により貨幣を投入するのか商品券を投入するのかを指定して、指定した内容に合わせて紙幣又は商品券のいずれかを投入部１０に投入する。入金処理装置１００は、投入部１０に紙幣若しくは商品券の投入された後に計数処理の開始の指示操作を受け付けたならば、投入部１０に投入された紙幣又は商品券を投入部１０から繰り出して計数処理を行う。レジから紙幣及び商品券を回収している場合には、例えば、先に貨幣を投入する旨の指定を行い、投入部１０に紙幣を投入して計数処理の開始の指示操作を行い、紙幣の計数処理が終了したならば、商品券を投入する旨の指定を行い、投入部１０に商品券を投入して計数処理の開始の指示操作を行う。
【００３１】
投入部１０の左方には、レシート等を出力するレシートプリンタ７２が配置される。また。レシートプリンタ７２の下方には、入金する硬貨を投入するための硬貨投入部１１０が配置される。また、硬貨投入部１１０の下方には、硬貨投入部１１０に投入された硬貨のうち金種の識別できなかった硬貨が排出される硬貨リジェクト部１４１が配置される。また、硬貨リジェクト部１４１を含む硬貨保留ユニット１４０は、硬貨投入部１１０に投入されて計数された硬貨の返却の指示操作を受け付けると、硬貨保留ユニット１４０全体が手前に引き出し可能となるよう電磁ロックが解除される。硬貨を計数後に返却指示操作が行われた場合には、硬貨保留ユニット１４０を手前に引き出すことによって、計数済の硬貨が取り出し可能となる。
【００３２】
また、投入部１０の下方には、投入部１０に投入した紙幣のうち金種の識別ができなかった紙幣及び投入部１０に投入した商品券のうち種類の識別ができなかった商品券が搬送されるリジェクト部４１と、予め設定される所定の条件に合致する紙幣あるいは商品券が搬送されるスタッカ４２が配置される。例えば、商品券について、種類が識別できた商品券であっても、内部の収納部５３に収納する商品券と、スタッカ４２に搬送される商品券とに分類されるように設定されてもよい。
【００３３】
また、スタッカ４２の下部には、保留ユニット４０が配置される。保留ユニット４０は、投入部１０に投入されて計数された紙幣及び商品券の返却の指示操作を受け付けると、保留ユニット４０全体が手前に引き出し可能となるよう電磁ロックが解除される。紙幣又は商品券を計数後に返却指示操作が行われた場合には、保留ユニット４０を手前に引き出すことによって、計数済の紙幣又は商品券が取り出し可能となる。
【００３４】
次に、図２に示した入金処理装置１００の物理的な内部構成について図３に示す模式図を用いて説明する。図２に示した模式図は、入金処理装置１００の側面から見た装置内部の物理構成を簡略化して示した図である。
【００３５】
まず、紙幣及び商品券の入金処理にかかる部分について説明する。投入部１０に投入された紙幣又は商品券は、投入部１０から繰り出されると、搬送部３０により紙幣の金種の識別又は商品券の種類の識別を行う識別部２０に搬送される。識別部２０は、搬送されてきた紙幣及び商品券の画像等を取得するイメージスキャナを含む。識別部２０で識別された紙幣又は商品券は、搬送部３０により、リジェクト部４１、スタッカ４２、一時保留部４３又は一時保留部４４のいずれかに搬送される。また、識別部２０からリジェクト部４１の間の搬送部３０に、消し込み部７３が配置されている。消し込み部７３は、プリンタであって、商品券に対して無効化情報（使用済みで有ることを表す）を印字する。
【００３６】
リジェクト部４１には、識別部２０で金種の識別ができなかった紙幣と、識別部２０で種類の識別ができなかった商品券と、当該店舗で使用不可能と判定された商品券とが搬送される。スタッカ４２には、例えば識別部２０において当該店舗で使用可能と識別された商品券のうち、当該店舗内で処理する商品券（例えば、当該店舗発行商品券）が搬送される。また、一時保留部４３には、識別部２０において当該店舗で使用可能と識別された商品券のうち、現金化するために他店舗若しくは他社に何らかの処理を行う必要がある商品券が搬送される。また、一時保留部４４には、識別部２０において金種が識別された紙幣が搬送される。商品券について、種類の識別ができなかった商品券及び当該店舗で使用不可能と判定された商品券以外の商品券をスタッカ４２又は一時保留部４３に分類する基準については店舗の運用に合わせて設定することができる。
【００３７】
また、一時保留部４３の下方向には、収納の指示を受け付けて一時保留部４３に搬送された商品券を収納するための収納部５３が配置される。また、一時保留部４４の下方向には、収納の指示を受け付けて一時保留部４４に搬送された紙幣を収納するための収納部５４が配置される。また、図２で示した保留ユニット４０は、一時保留部４３、４４を含み、保留ユニット４０を装置手前に引き出すと、一時保留部４３に搬送されている商品券及び一時保留部４４に搬送されている紙幣が取り出し可能となる。
【００３８】
投入部１０は、紙幣又は商品券を投入することが可能である。同一のレジから紙幣及び商品券を回収していて、紙幣及び商品券の両方を入金する場合には、例えば先に紙幣を投入部１０に投入して、紙幣の計数開始操作を行うことによって投入された紙幣の計数を行って計数した紙幣を一時保留部４４に一時保留させて、空になった投入部１０に商品券を投入して、商品券の計数開始操作を行うことによって投入された商品券の計数を行って計数した商品券を一時保留部４３に一時保留させる。この状態で、計数済みの紙幣及び商品券を入金する旨の指示操作（承認操作）を受け付けたならば、一時保留部４４に一時保留されている紙幣を収納部５４に収納し、一時保留部４３に一時保留されている商品券を収納部５４に収納する。
【００３９】
次に、硬貨の入金処理に係る部分について説明する。硬貨投入部１１０に投入された硬貨は、硬貨投入部１１０から繰り出されると、硬貨識別部１２０に渡される。硬貨識別部１２０は硬貨投入部１１０から繰り出された硬貨の金種の識別を行う。硬貨識別部１２０により識別処理の行われた硬貨は、３個の振分機構を有する硬貨搬送部１３０により硬貨リジェクト部１４１、硬貨一時保留部１４３、１４４のいずれかに搬送される。硬貨リジェクト部１４１には、硬貨識別部１２０で金種の識別ができなかった硬貨が搬送される。硬貨一時保留部１４３、１４４には、硬貨識別部１２０で金種の識別ができた硬貨が、予め設定された条件に基づいて振り分けられる。
【００４０】
また、硬貨一時保留部１４３、１４４の下方向には、返却の指示を受け付けて硬貨一時保留部１４３、１４４に搬送された硬貨を返却するための硬貨返却箱１４５、１４６がそれぞれ配置され、計数済みの硬貨が硬貨一時保留部１４３、１４４に一時保留されている状態で計数済み硬貨の返却指示操作を受け付けると、硬貨一時保留部１４３、１４４に一時保留されている硬貨は硬貨返却箱１４５、１４６に移される。また、硬貨返却箱１４５、１４６よりもさらに下方向には、収納の指示を受け付けて硬貨一時保留部１４３、１４４に搬送された硬貨を収納するための硬貨収納部１５３、１５４が配置される。また、図２で示した硬貨保留ユニット１４０は、硬貨返却箱１４５、１４６を含み、硬貨保留ユニット１４０を装置手前に引き出すと、硬貨返却箱１４５、１４６に搬送されている硬貨が取り出し可能となる。
【００４１】
また、入金処理装置１００は、装置の上側を上部ユニット１０１、装置の下側を下部ユニット１０２と称し、入金処理装置１００に収納された貨幣及び商品券を回収する権限を有する操作者によって所定の操作が行われると電磁ロックが解除されて、収納部５３、５４及び硬貨収納部１５３、１５４を含む下部ユニット１０２が引き出し可能となり、下部ユニット１０２を引き出して、収納部５３、５４及び硬貨収納部１５３、１５４を取り出すことができる。入金処理装置１００に収納した貨幣の銀行の所定口座への入金処理及び入金処理装置１００に収納した商品券を換金処理した上での銀行の所定口座への入金の業務を警送会社等に委託している場合には、警送会社の担当者が、下部ユニット１０２を引き出して、収納部５３、５４及び硬貨収納部１５３、１５４を取り出して現金センタ等に持ち出すことになる。
【００４２】
図３では、一時保留部４４及び収納部５４を紙幣用、一時保留部４３及び収納部５３を商品券用に使用するものとして説明したが、本発明はこれに限定されるものではない。例えば、一時保留部４４及び収納部５４を商品券用、一時保留部４３及び収納部５３を紙幣用に使用するものとしてもよいし、一時保留部４４及び収納部５４を紙幣及び商品券兼用、一時保留部４３及び収納部５３を紙幣専用に使用するものとしてもよい。
【００４３】
次に、図２に示した入金処理装置１００の機能的な内部構成を説明する。図４は、入金処理装置１００の機能的な内部構成を示すブロック図である。入金処理装置１００には、オブション機器として通帳プリンタ８０及びカセット解錠機８１を接続することができる。通帳プリンタ８０は、入金処理装置１００に売上金を入金した履歴を通帳式の記録媒体に出力するため出力機器である。また、カセット解錠機８１は、売場の紙幣釣銭機から売上金の収納された回収カセット２０７を取り出すことによって売上金を回収した場合に、回収カセット２０７内部に収められている紙幣の取り出しを可能とするために、回収カセット２０７の解錠を行うための機器である。カセット解錠機８１についての詳細は後述する。
【００４４】
また、入金処理装置１００は、投入部１０、識別部２０、搬送部３０、リジェクト部４１、スタッカ４２、一時保留部４３、４４、収納部５３、５４、通信部７０、ＩＣカードリーダ７１、レシートプリンタ７２、消し込み部７３、表示操作部７４、硬貨投入部１１０、硬貨識別部１２０、硬貨搬送部１３０、硬貨リジェクト部１４１、硬貨一時保留部１４３、１４４、硬貨返却箱１４５、１４６、硬貨収納部１５３、１５４、記憶部９０及び制御部９１を有する。図４の機能的な内部構成図においては、図３において説明した部分の説明は省略し、図３に表わされていなかった部分を中心に説明する。通信部７０は、通信線及び通信網を介して他の装置とデータ通信を行うためのインタフェース部である。
【００４５】
記憶部９０は、ハードディスク装置や不揮発性メモリ等の記憶デバイスであり、認証データ９０ａ、在高データ９０ｂ及び入金履歴データ９０ｃを有する。認証データ９０ａは、ＩＣカードリーダ７１等を用いて行われた認証処理において認証された認証情報である。在高データ９０ｂは、収納部５３に収納されている商品券の種類別の枚数、収納部５４に収納されている紙幣の金種別枚数及び硬貨収納部１５３、１５４に収納されている硬貨の金種別枚数のデータである。入金履歴データ９０ｃは、入金処理装置１００にて行われた売上金の入金処理の履歴を記録したデータである。
【００４６】
制御部９１は、入金処理装置１００の全体を制御する制御部であり、認証処理部９１ａ、入金処理部９１ｂ、回収処理部９１ｃ及び集計処理部９１ｄを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００４７】
認証処理部９１ａは、操作者の認証処理を行い、認証されたならば認証に係る情報を認証データ９０ａに登録する。具体的には、ＩＣカードリーダ７１により担当者カードから担当者の識別情報を読み取って、読み取った担当者の識別情報に基づいて当該入金処理装置１００における売上金の入金処理若しくは入金された貨幣及び商品券を取り出す回収処理の権限の有無を確認する。売上金の入金処理の権限があると判定された場合には、読み取った担当者の識別情報に基づいてレジの識別情報を特定する。レジの識別情報については表示操作部７４等を用いて担当者が入力するようにしてもよい。このようにして取得した担当者の識別情報及びレジの識別情報等の認証情報を認証データ９０ａに登録する。
【００４８】
入金処理部９１ｂは、表示操作部７４に売上金の入金処理に係る画面の表示制御を行い、表示操作部７４の操作に基づいて、投入部１０で受け付けた紙幣の金種の識別及び金種別の枚数の計数と、投入部１０で受け付けた商品券の種類の識別及び商品券の種類別の枚数の計数と、硬貨投入部１１０で受け付けた硬貨の金種の識別及び金種別の枚数の計数とを実施して、貨幣及び商品券の計数結果を表示操作部７４に表示する。また、入金処理部９１ｂは、貨幣及び商品券の計数後に表示操作部７４で計数済みの貨幣及び商品券の入金を指示する操作（承認操作）を受け付けると計数済みの紙幣を収納部５３に収納し、計数済みの商品券を収納部５４に収納し、計数済みの硬貨を硬貨収納部１５３、１５４に収納する。また、入金処理部９１ｂは、当該入金処理で収納した貨幣及び商品券に係る情報を在高データ９０ｂに加算するとともに、当該入金処理で収納した貨幣及び商品券に係る情報である入金履歴を入金履歴データ９０ｃに追加登録する。また、入金処理部９１ｂは、当該入金結果明細をレシートプリンタ７２で印刷する。また、通帳プリンタ８０が接続されている場合には、レシートプリンタ７２に出力する内容を通帳形式の媒体に出力することもできる。また、入金処理部９１ｂは、ＩＣカードリーダ７１により担当者カードから対応するレジのカード決済による売上金額及び電子マネー決済による売上金額を読み取って、入金履歴データ９０ｃに併せて登録する。
【００４９】
回収処理部９１ｃは、回収処理の操作権限がある場合に回収処理操作を受け付ける。回収処理操作を受け付けると、回収処理部９１ｃは、下部ユニット１０２を装置から引き出し可能に電磁ロックの解除を行う。また、回収処理部９１ｃは、下部ユニット１０２から、収納部５３、５４、及び硬貨収納部１５３、１５４の抜き取りが検知されると在高データ９０ｂを初期化する。
【００５０】
集計処理部９１ｄは、表示操作部７４により集計指示操作を受け付けると、入金履歴データ９０ｃの集計処理を行って、集計結果を表示操作部７４若しくはレシートプリンタ７２に出力する。詳細な出力イメージは後述する。また、通信部７０を介して、上位の管理コンユータや併設される他の入金処理装置と通信可能となっている。
【００５１】
次に、図４に示した入金処理装置１００のデータ構成について図５を用いて説明する。
【００５２】
認証データ９０ａは、店番号、レジ番号及び操作者の識別番号を有するデータである。図５の認証データ９０ａの例は、店番号が「００５」で、レジ番号が「１０１」で、操作者識別番号が「１０００５」であることを示している。
【００５３】
在高データ９０ｂは、収納部５３、５４及び硬貨収納部１５３、１５４に収納されている紙幣及び硬貨の金種別枚数と、商品券の種類毎の種類を示す識別情報、額面及び枚数とを含むデータである。図５の在高データ９０ｂの例は、万円券が「２３０」枚で、五千円券が「２０」枚で、千円券が「４０」枚で、５００円貨が「１０」枚で、１００円貨が「３５」枚で、５０円貨が「２０」枚で、１０円貨が「６０」枚で、５円貨が「１５」枚で、１円貨が「４０」枚で、商品券の種類を示す識別コードが「０１０１２」の、額面が「１０００」円の商品券が「２０」枚の在高が有ることを示している。
【００５４】
入金履歴データ９０ｃは、入金処理を行った日時、店番号、レジ番号、入金処理を実施した担当者の識別情報、入金処理で発行したレシートの通番、決済方式ごとの売上金額、入金された貨幣の金種別枚数及び入金された商品券の種類別枚数をレコード保有項目とするデータである。決済方式ごとの売上金額には、対応するレジの貨幣で決済された売上額と、商品券で決済された売上額と、クレジットカードで決済された売上額と、電子マネーで決済された売上額とを含む。
【００５５】
図５の入金履歴データ９０ｃの例は、日時が「２０１４／４／１０  １８：３０」に、店番号が「００５」で、レジ番号が「１０１」のレジからの売上金の入金処理が、識別情報が「１０００５」の担当者により実施され、通番が「２９５」のレシートを発行したことを示すレコードが含まれていることを示している。また、入金履歴は、貨幣により決済された売上金額が「１５８，８３３」円で、商品券により決済された売上金額が「１７，０００」円で、クレジットカードにより決済された売上金額が「２４，０００」円で、電子マネーにより決済された売上金額が「４８，０００」円であったことを示している。また、当該入金履歴は、貨幣の金種別の入金枚数について、万円券が「１５」枚で、五千円券が「１」枚で、千円券が「３」枚で、５００円貨が「１」枚で、１００円貨が「３」枚で、５０円貨が「０」枚で、１０円貨が「３」枚で、５円貨が「０」枚で、１円貨が「３」枚であったことを示している。また、当該入金履歴は、商品券の種類別の入金枚数について、商品券の種類を示す識別コードが「０１０１２」の、額面が「１０００」円の商品券が「２」枚であったことを示している。
【００５６】
次に、図２に示した入金処理装置１００において売上金の入金処理時に表示操作部７４に表示される画面の構成と、当該画面における操作による画面遷移とについて図６を用いて説明する。
【００５７】
図６（ａ）は、売上金の入金処理を行う権限のある担当者が認証処理を行った後に表示される売上金の入金処理時に表示操作部７４に表示される初期画面である。画面中央には現金の入金を指示するための「現金入金」ボタンと、商品券の入金を指示するための「商品券入金」ボタンとが配置される。当該入金処理の初期画面表示時には、図６（ａ）に示すようにデフォルトで「現金入金」が選択された状態で画面表示される。また、デフォルトで「現金入金」が選択されている状態に対応して、画面上部には現金を投入部１０及び硬貨投入部１１０に投入して「スタート」ボタンを押下する旨のメッセージが表示される。また、画面下部には、計数処理を開始するための「スタート」ボタンが配置される。「現金入金」ボタンが選択された状態で「スタート」ボタンが操作されると、投入部１０に投入された紙幣の計数と、硬貨投入部１１０に投入された硬貨の計数を開始する。また、「商品券入金」ボタンが選択された状態で「スタート」ボタンが操作されると、投入部１０に投入された商品券の計数と、硬貨投入部１１０に投入された硬貨の計数を開始する。また、硬貨投入部１１０に投入された硬貨の計数はいずれの場合の「スタート」ボタンでも計数を開始するものとしたが、「現金入金」ボタンが選択された状態で「スタート」ボタンが操作された場合に限定するものとしてもよい。
【００５８】
図６（ａ）の初期画面が表示されている状態で、投入部１０に紙幣を投入して、硬貨投入部１１０に硬貨を投入して「スタート」ボタンが押下され、計数処理が行われると図６（ｂ）の画面に遷移する。図６（ｂ）の画面は、「スタート」ボタンの操作で指示された計数処理の結果を表示する画面の例であって、画面の中央には当該入金処理における現金の計数結果である現金計数金額と、当該入金処理における商品券の計数結果である商品券計数金額と、当該入金処理装置１００において前回の回収処理以降に入金処理された累計の入金額である総合計が表示される。また、画面上部には、追加で計数が行える旨のメッセージと、計数結果として表示されている貨幣及び商品券以外に計数すべき貨幣又は商品券がなく計数処理を終了する場合には「完了」ボタンを操作する旨のメッセージが表示される。図６（ｂ）の画面下部には、計数処理を終了したことを指示するための「完了」ボタンと、追加で現金の計数を行う旨を指示するための「現金計数」ボタンと、追加で商品券の計数を行う旨を指示するための「商品券計数」ボタンとが配置される。
【００５９】
図６（ｂ）の画面で、「商品券計数」ボタンの操作が行われると、図６（ｃ）の画面に遷移する。図６（ｃ）の画面の中央には図６（ｂ）の画面と同じ前回の回収処理以降の累計である総合計と、当該入金処理対象の現金計数金額及び商品券計数金額とが表示される。また、図６（ｂ）における「商品券計数」ボタンの操作に応じて、画面上部には、商品券を投入部１０に投入して「スタート」ボタンを押下する旨のメッセージが表示される。また、画面下部には、計数処理を開始するための「スタート」ボタンと、図６（ｂ）の画面に戻ることを指示するための「戻る」ボタンが配置される。また、図６（ｃ）の画面には硬貨の計数に係るメッセージは表示されていないが、硬貨投入部１１０に硬貨を投入した上で「スタート」ボタンの操作が行われると、硬貨投入部１１０に投入されている硬貨があれば当該硬貨の計数処理も行われる。
【００６０】
図６（ｃ）の画面の状態で、投入部１０に商品券を投入して「スタート」ボタンが操作され、商品券の計数処理が行われると図６（ｄ）の画面に遷移する。図６（ｄ）の画面の中央には図６（ｂ）及び図６（ｃ）の画面と同じ前回の回収処理以降にの累計である総合計と、当該入金処理対象の現金計数金額及び商品券計数金額とが表示され、商品券計数金額には「スタート」ボタンの操作により計数処理が行われた商品券の計数結果が反映される。また、図６（ｄ）の画面の画面上部のメッセージ及び画面下部の指示操作用のボタンは、図６（ｂ）と同じである。
【００６１】
図６（ｄ）の画面で、「完了」ボタンの操作が行われると、計数処理によって一時保留部４３、４４及び硬貨一時保留部１４３、１４４に一時保留となっている貨幣及び商品券の収納部５３、５４及び硬貨収納部１５３、１５４への収納を行うとともに、レシートプリンタ７２からレシートの発行を行って処理を終了する。
【００６２】
次に、図２に示した入金処理装置１００においてレシートプリンタ７２で出力されるレシートの出力内容について図７を用いて説明する。
【００６３】
図７（ａ）は、個別の入金処理において発行されるレシートの出力例を示す図である。図７（ａ）に示すように、１行目には個別の入金処理のレシートであることを示す「入金」の文字と、当該レシートのレシート通番とが印字される。また、２行目には、入金処理が行われた日時が印字され、３行目に店番号、４行目にレジ番号が印字される。
【００６４】
４行目以降には入金処理ごとの個別の明細である入金明細が印字され、最下行には当日の累計入金額が印字される。また、入金明細は、現金による入金の明細である現金明細の部分と、商品券による入金の明細である商品券明細の部分と、現金による入金額と商品券による入金額の合計である入金合計額とが含まれる。また、現金明細の部分には、入金した貨幣の金種別の枚数、金種別の金額及び貨幣により入金した合計額である現金合計を含む。また、商品券明細の部分には商品券の種類ごとの額面、枚数及び額面と枚数の乗算によって求められる金額を含む商品券ごとの情報と、全ての商品券による入金額の合計である商品券合計とが含まれる。
【００６５】
図７（ｂ）は、当日、店舗内のレジからの入金処理を集計した集計レシートの出力例を示す図である。図７（ｂ）に示すように、１行目には当日行われた入金処理を集計したレシートであることを示す「入金集計」の文字と、当該レシートのレシート通番とが印字される。また、２行目に集計処理が行われた日時が印字され、３行目に店番号が印字される。
【００６６】
４行目以降にはレジ毎に当日行われた入金処理のサマリが印字され、当該レシートの最下部には全レジの入金処理の集計結果が印字される。レジ毎のサマリには、レジ番号と、現金による入金金額と、商品券による入金金額と、その合計額とが印字される。また、全レジの入金処理の集計結果についても、全レジからの現金による入金金額の合計額と、全レジからの商品券による入金金額の合計額と、現金による入金金額の合計額と商品券による入金金額の合計額との合算額とが印字される。
【００６７】
図７（ａ）及び図７（ｂ）に示したレシートの印字例では、貨幣による入金額と商品券による入金額のみを印刷対象としたが、入金履歴データ９０ｃに記録したカード決済額及び電子マネー決済額を印字内容に含めたり、集計対象に含めて集計結果を印字するようにしてもよい。
【００６８】
次に、図２に示した入金処理装置１００における売上金の入金処理の処理手順について図８に示すフローチャートを用いて説明する。
【００６９】
認証処理部９１ａは、ＩＣカードリーダ７１により担当者カードの内容を読み取り、担当者カードから読み取った担当者の識別情報を用いて認証処理を行う（ステップＳ１０１）。具体的には、担当者カードから読み取った担当者の識別情報が、入金処理装置１００において入金処理を行う権限があるか否かを判定し、入金処理権限があると判定された場合には、読み取った担当者の識別情報と、当該識別情報に基づいて店番号及びレジ番号を特定して認証データ９０ａに登録する。また、当該認証処理は、例えば店番号及びレジ番号は表示操作部７４により入力を受け付けるようにしてもよい。また、ＩＣカードリーダ７１で読み込ませるカードを店番号及びレジ番号が記憶されたレジカードとして、担当者の識別情報を表示操作部７４により入力を受け付けるようにしてもよい。また、レジにおいて売上金の回収処理を行う場合に、担当者カードのＩＣチップにレジ番号を一時的に記憶するようにして、ＩＣカードリーダ７１で担当者カードの内容を読み取り時に、ＩＣチップから店番号及びレジ番号を読み取るようにしてもよい。
【００７０】
ステップＳ１０１で認証が正常に行われると、入金処理部９１ｂは、図６（ａ）に示したような入金処理の初期画面を表示操作部７４に表示する（ステップＳ１０２）。ステップＳ１０２で表示された初期画面において、「スタート」ボタンの押下を受け付けた場合（ステップＳ１０３；Ｙｅｓ）には、投入部１０に投入された紙幣及び硬貨投入部１１０に投入された硬貨の計数処理を行って（ステップＳ１０４）、図６（ｂ）に示したような計数結果を表示するための画面を表示する（ステップＳ１０５）。
【００７１】
ステップＳ１０２で表示された初期画面において、「商品券入金」ボタンの押下を受け付けた場合（ステップＳ１０３；Ｎｏ、ステップＳ１０６；Ｙｅｓ）には、入金処理部９１ｂは、商品券を投入部１０に投入して「スタート」ボタンを押下する旨のメッセージを表示する（ステップＳ１０７）。また、商品券が投入部１０に投入されて「スタート」ボタンの操作を受け付けたならば（ステップＳ１０８；Ｙｅｓ）、投入部１０に投入された商品券の計数処理を行って（ステップＳ１０９）、ステップＳ１０５に移行する。また、ステップＳ１０２で表示された初期画面において、入力操作を受け付けていない場合（ステップＳ１０６；Ｎｏ）には、ステップＳ１０３に戻る。また、ステップＳ１０７のメッセージが表示されている状態において「現金券入金」ボタンの押下を受け付けた場合（ステップＳ１０８；Ｎｏ）には、ステップＳ１０２に戻る。
【００７２】
ステップＳ１０５で表示された画面において、「現金計数」ボタンの操作を受け付けたならば（ステップＳ１１０；Ｙｅｓ）、入金処理部９１ｂは、現金を投入して「スタート」ボタンを操作する旨のメッセージと、「スタート」ボタンと、「戻る」ボタンとを表示操作部７４に表示する（ステップＳ１１１）。ステップＳ１１１で表示した画面が表示されている状態で現金が投入されるとともに「スタート」ボタンの操作を受け付けると（ステップＳ１１２；Ｙｅｓ）、ステップＳ１０４に移行する。また、ステップＳ１１１で表示した画面が表示されている状態で「戻る」ボタンの操作を受け付けると（ステップＳ１１２；Ｎｏ）、ステップＳ１０５に移行する。
【００７３】
また、ステップＳ１０５で表示された画面において、「商品券計数」ボタンの操作を受け付けたならば（ステップＳ１１０；Ｎｏ、ステップＳ１１３；Ｙｅｓ）、入金処理部９１ｂは、商品券を投入して「スタート」ボタンを操作する旨のメッセージと、「スタート」ボタンと、「戻る」ボタンとを表示操作部７４に表示する（ステップＳ１１４）。ステップＳ１１４で表示した画面が表示されている状態で商品券が投入されるとともに「スタート」ボタンの操作を受け付けると（ステップＳ１１５；Ｙｅｓ）、ステップＳ１０９に移行する。また、ステップＳ１１４で表示した画面が表示されている状態で「戻る」ボタンの操作を受け付けると（ステップＳ１１５；Ｎｏ）、ステップＳ１０５に移行する。
【００７４】
また、ステップＳ１０５で表示された画面において、入金する全ての貨幣及び商品券の計数処理が終了した旨を示す「完了」ボタンの操作を受け付けた場合（ステップＳ１１３；Ｎｏ、ステップＳ１１６；Ｙｅｓ）には、入金処理部９１ｂは、一時保留部４３に一時保留状態となっている商品券を収納部５３に収納し、一時保留部４４に一時保留状態となっている紙幣を収納部５４に収納し、硬貨一時保留部１４３、１４４に一時保留状態となっている硬貨を硬貨収納部１５３、１５４に収納する（ステップＳ１１７）。また、ステップＳ１０５で表示された画面において、いずれの操作も受け付けていない場合（ステップＳ１１６；Ｎｏ）には、ステップＳ１１０に戻る。
【００７５】
また、入金処理部９１ｂは、ステップＳ１１７で収納した貨幣及び商品券に対応する内容を在高データ９０ｂに加算して更新する（ステップＳ１１８）。また、入金処理部９１ｂは、ステップＳ１１７で収納した貨幣及び商品券に対応する内容及び認証データ９０ａに基づいて入金処理の履歴情報を入金履歴データ９０ｃに登録する（ステップＳ１１９）。また、入金処理部９１ｂは、ステップＳ１１９で入金履歴データ９０ｃに追加した入金処理の履歴情報に対応するレシートをレシートプリンタ７２により発行して（ステップＳ１２０）、処理を終了する。
【００７６】
なお、本実施例では、それぞれのレジの担当者が、各レジにおける売上金である貨幣及び商品券を回収して、レジ担当者自身が回収した貨幣及び商品券を入金処理装置１００に入金する旨の説明を行ってきたが、本発明はこれに限定されるものではない。例えば、売上金の回収担当者が、複数のレジを回って売上金を回収するようにしてもよい。その場合には、回収担当者は、入金処理装置１００において自身の担当者カードで認証処理を行い、表示操作部７４によりレジ番号を入力して、対応するレジから回収した売上金の入金を行うものとする。
【００７７】
また、本実施例では、入金処理装置１００に紙幣及び商品券の入金を行う場合に、紙幣又は商品券の区分を事前に入力して、入力した区分に従って紙幣又は商品券のいずれか一方を計数させて、その計数処理が終了後に他方に対応する紙幣又は商品券の区分を入力して他方に対応する紙幣又は商品券の計数を行うものとしたが、本発明はこれに限定されるものではない。例えば、紙幣又は商品券の区別を事前に入力することを不要として、紙幣又は商品券の判別を入金処理装置１００において自動で行うようにしてもよい。また、本実施例では、入金処理装置１００の投入部１０には一度に紙幣と商品券を混在して投入しない旨を説明してきたが、投入部１０に一度に紙幣及び商品券を混在して投入することを可能として、投入部１０に投入された紙幣及び商品券を自動で判別してそれぞれの処理を行うようにしてもよい。
【００７８】
次に、図２に示した入金処理装置１００に通帳プリンタ８０を接続して筐体の上に載置する場合の表示操作部７４の接続形態の変形例について図９を用いて説明する。
【００７９】
図４に示したように、入金処理装置１００は、オプション機器として通帳プリンタ８０を接続することができる。通常、入金処理装置１００に通帳プリンタ８０を接続する場合には、通帳プリンタ８０を載置するための台を入金処理装置１００に並べて設置し、この台に通帳プリンタ８０を設置する。しかしながら、設置スペースの関係で通帳プリンタ８０を載置するための台を入金処理装置１００に並べて設置することができない場合がある。図９では、そのような場合に入金処理装置１００の筐体の上に通帳プリンタ８０を設置し、通帳プリンタ８０に対する通帳のセットなどの操作を行いやすくするための表示操作部７４の設置形態の変形例を説明する。図９に対する説明では、図２の入金処理装置１００の外観図で示した構成要素と差異がない部分の説明は省略し、差異がある部分を中心に説明する。
【００８０】
図９（ａ）は、表示操作部７４の設置形態の変形例を適用した入金処理装置１００を上から見た平面図で、図９（ｂ）は、正面から見た正面図である。図９（ａ）に示すように、通帳プリンタ８０は、入金処理装置１００の筐体の最上部の平坦な部分に設置される。通帳プリンタ８０が入金処理装置１００の筐体の最上部に設置されると、表示操作部７４が図２に示した設置形態であると、通帳プリンタ８０の通帳挿入口８０ａが表示操作部７４の陰に隠れてしまうことになり、通帳挿入口８０ａへの通帳挿入操作が行い難くなってしまう。そこで、図９（ａ）に示したように、表示操作部７４を入金処理装置１００の筐体の右端から右前の方向に延びるアーム７４ａに取り付けることによって、通帳プリンタ８０への通帳の挿入等の操作性を確保することができる。
【００８１】
また、アーム７４ａは、図９（ａ）に示すように３つの関節を有していることから、入金処理装置１００の右側の空間の空の状況や、操作者の好みによって柔軟に表示操作部７４の位置を変更することが可能である。
【００８２】
次に、図２に示した入金処理装置１００の物理的な内部構成の変形例について、図１０に示す模式図を用いて説明する。図３などで説明したように、入金処理装置１００は、紙幣、硬貨及び商品券の入金を行う装置である。しかし、商業施設の規模や、売上金の回収に係る運用方式によっては、硬貨は回収しないことから硬貨に関する部分が不要だったり、硬貨を金種別に分けて収納することが望ましかったり、商品券を取り扱っていても取扱量が非常に少なく商品券の収納部を独立で設けるほどでもなかったりする。そこで、図１０では、装置内部の機能単位となるユニットを組み合わせることにより、商業施設の異なるニーズに対応することができる入金処理装置１００の内部構成の例を説明する。
【００８３】
図１０（ａ）に示した入金処理装置１００は、図３に示した内部構成と同じで基本の構成である。図３でも説明した通り、図１０（ａ）に示す入金処理装置１００は、紙幣、硬貨及び商品券の入金を行うことが可能で、紙幣、商品券はそれぞれ収納部５４、収納部５３に収納され、硬貨は硬貨収納部１５３、１５４に金種が混合された状態で収納される。
【００８４】
図１０（ｂ）に示した入金処理装置１００は、図１０（ａ）の入金処理装置１００と比較すると、紙幣及び商品券に係るユニットについては同じであるが、硬貨に係るユニットが全て存在しない。このような入金処理装置１００は、売上金を回収する場合に硬貨の回収を行わないで店舗内で循環使用し、紙幣や商品券のみを回収する商業施設にとっては有用である。
【００８５】
図１０（ｃ）に示した入金処理装置１００は、図１０（ａ）の入金処理装置１００と比較すると、紙幣及び商品券に係るユニットについては、一時保留部４４と、収納部５４とが存在しない。また、硬貨に係るユニットについては、硬貨投入部１１０及び硬貨識別部１２０は図１０（ａ）の硬貨に係るユニットと同じであるが、硬貨搬送部１３０’は、６金種およびリジェクト用の７個の振分機構を備えている。また、１０（ａ）に含まれていた硬貨リジェクト部１４１、硬貨一時保留部１４３、１４４、硬貨返却箱１４５、１４６及び硬貨収納部１５３、１５４に代わって、図１０（ｃ）には、硬貨リジェクト部１６１、計数済みの硬貨を金種別に一時保留する硬貨一時保留部１６２、計数済みの硬貨を返却するための金種別の硬貨返却箱１６３及び金種別に硬貨を収納する硬貨収納部１６４を備えている部分が違っている。
【００８６】
図１０（ｃ）に示した入金処理装置１００は、商品券の収納先の設定によって、全てスタッカ４２に搬送するか、自店で処理する商品券をスタッカ４２に搬送し他店若しくは他社で処理する必要がある商品券を一時保留部４３に搬送するように指定することができる。また、図１０（ｃ）に示した入金処理装置１００は、投入された硬貨を金種別の硬貨収納部１６４に収納することができる。
【００８７】
次に、図４に示したオプション機器であるカセット解錠機８１による回収カセット２０７の解錠に係る操作方法について図１１を用いて説明する。回収カセット２０７は、売場のＰＯＳ端末に接続される紙幣釣銭機から回収された紙幣が収納された収納容器であり、錠付きのカセット扉２０７ｂが備えられる。カセット解錠機８１は回収カセット２０７の鍵を解錠するための機器であり、入金処理装置１００の上面に固定設置される。カセット解錠機８１により回収カセット２０７の解錠が行われると、回収カセット２０７が備えるカセット扉２０７ｂを開けることが可能となり、カセット扉２０７ｂを開けることによって回収カセット２０７内に収納されている紙幣が取り出し可能となる。紙幣釣銭機は、回収カセット２０７が紙幣釣銭機に装着されている状態で、装置内の収納部に収納されている紙幣の回収の指示を受け付けると、収納部から回収カセット２０７に指示された紙幣を収納し、所定の操作によって回収カセット２０７が取外される。
【００８８】
バックヤードに持込まれた回収カセット２０７を、まず、図１１（ａ）に示すように、カセット解錠機８１のカセット装着部８１ｂに装着する。カセット解錠機８１の前面には解錠時に操作するための取っ手８１ａを備えている。取っ手８１ａは、入金処理装置１００から所定の信号を受け付けたならば図示しない電磁ロックが解除され取っ手８１ａを操作することが可能となる。具体的には、担当者の認証処理が行われたならばカセット解錠機８１の電磁ロックが解除され取っ手８１ａを操作することが可能となる。
【００８９】
次に、図１１（ｂ）に示したようにカセット解錠機８１に回収カセット２０７をセットした状態で電磁ロックが解除されたならば、図１１（ｃ）に示すように取っ手８１ａを押し込むことによって取っ手８１ａに連動する鍵８１ｃを回収カセット２０７の鍵穴２０７ａに挿入する。さらに、図１１（ｃ）に示した状態から、図１１（ｄ）に示すように取っ手８１ａを時計回りに回すことによって回収カセット２０７が解錠されて、図１１（ｅ）に示すように回収カセット２０７のカセット扉２０７ｂが図示しないバネによって上方に開かれる。
【００９０】
図１１（ｅ）のように回収カセット２０７のカセット扉２０７ｂが開けられた状態で、取っ手８１ａから手を離すと、図１１（ｆ）に示すように取っ手８１ａは図示しないバネによって反時計回りに回されるとともに押し込まれる前の状態に自動的に戻るようになっている。
【００９１】
次に、図１１で示したカセット解錠機８１による回収カセット２０７の解錠が行われる仕組みについて図１２を用いて説明する。
【００９２】
図１２（ａ）に示すように取っ手８１ａの反対側の先端には、鍵８１ｃが、取っ手８１ａの動きに連動するように軸に対して固定的に取り付けられている。また、取っ手８１ａの軸の部分には軸の延びる方向に対して直角方向に張り出した取っ手８１ａの動作を制限するためのガイド板８１ｄが設けられている。このガイド板８１ｄの先端は、取っ手８１ａの軸に沿って設けられたガイド孔８１ｅを突き抜けた構造となっており、このガイド孔８１ｅの形状により取っ手８１ａの操作が制限されるようになっている。
【００９３】
図１２（ａ）に示す取っ手８１ａの位置は、図１１（ｂ）に示した位置であり、この位置においてはガイド板８１ｄに対するガイド孔８１ｅの形状は、取っ手８１ａの軸方向に細い溝を形成しており、図１２（ｂ）に示すように取っ手８１ａの軸方向に押し込む以外の操作は制限されている。
【００９４】
また、図１２（ｂ）に示す取っ手８１ａの位置においてガイド板８１ｄに対するガイド孔８１ｅの形状は、取っ手８１ａの軸方向と垂直な方向にガイド板８１ｄが動けるように溝を形成しており、図１２（ｃ）に示すように取っ手８１ａを回転させる以外の操作は制限されている。このようなカセット解錠機８１によれば、担当者の承認操作が行われなければ解錠操作を行えない上、鍵８１ｃを外部に持ち出すことができない為、セキュリティ面の向上が図られる。また、鍵８１ｃを確実に鍵穴２０７ａに挿入してから回す為、鍵８１ｃや鍵穴２０７ａの損傷が起こりにくい。
【００９５】
上述してきたように、本実施例では、入金処理装置１００は、操作者あるいは回収元のレジの識別情報を受け付けて認証し、貨幣を受け付けて、受け付けた貨幣の金種を識別するとともに金種別の枚数を計数し、商品券を受け付けて、受け付けた商品券の種類を識別するとともに商品券の種類別の枚数を計数し、受け付けた貨幣及び商品券を収納し、認証情報、収納した貨幣の金額に係る情報及び収納した商品券の金額に係る情報を入金履歴データ９０ｃに登録するとともに、これらの内容を含むレシートを発行するよう構成したので、商業施設に設けられた複数のレジから貨幣と商品券の両者をそれぞれ収集して効率良く処理することができる。
【００９６】
なお、本実施例では、入金処理装置１００を貨幣及び商品券の両方の入金が行える装置として説明してきたが、本発明は入金処理装置１００のように一体で貨幣と商品券の入金が行える装置に限定されるものではない。例えば、貨幣を受け付けて受け付けた貨幣を内部に収納することができる貨幣入金装置と、商品券を受け付けて受け付けた商品券を内部に収納することができる商品券入金装置と、貨幣入金装置及び商品券入金装置の処理を制御する管理装置とをデータ通信可能に接続し、管理装置で担当者の識別情報及びレジの識別情報等の情報を管理装置で受け付けて、管理装置からの指示に基づいて貨幣入金装置は貨幣を受け付けて計数後内部に収納し、収納した貨幣に係る情報を管理装置に通知し、管理装置からの指示に基づいて商品券入金装置は商品券を受け付けて計数後内部に収納し、収納した商品券に係る情報を管理装置に通知し、管理装置は、担当者の識別情報及びレジの識別情報等に関連付けて、貨幣入金装置から受け付けた収納した貨幣に係る情報と、商品券入金装置から受け付けた収納した商品券に係る情報とを取引履歴として記憶するとともに、取引履歴が印刷されたレシートを発行するようにしてもよい。
【００９７】
また、上述の本実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００９８】
以上のように、本発明に係る有価媒体処理システム及び有価媒体処理方法は、商業施設に設けられた複数のレジから貨幣と商品券の両者をそれぞれ収集して効率良く集積することに適している。
【符号の説明】
【００９９】
１０  投入部
２０  識別部
３０  搬送部
４０  保留ユニット
４１  リジェクト部
４２  スタッカ
４３、４４  一時保留部
５３、５４  収納部
７０  通信部
７１  ＩＣカードリーダ
７２  レシートプリンタ
７３  消し込み部
７４  表示操作部
７４ａ  アーム
８０  通帳プリンタ
８０ａ  通帳挿入口
８１  カセット解錠機
８１ａ  取っ手
８１ｂ  カセット装着部
８１ｃ  鍵
８１ｄ  ガイド板
８１ｅ  ガイド孔
９０  記憶部
９０ａ  認証データ
９０ｂ  在高データ
９０ｃ  入金履歴データ
９１  制御部
９１ａ  認証処理部
９１ｂ  入金処理部
９１ｃ  回収処理部
９１ｄ  集計処理部
１００  入金処理装置
１０１  上部ユニット
１０２  下部ユニット
１１０  硬貨投入部
１２０  硬貨識別部
１３０、１３０’  硬貨搬送部
１４０  硬貨保留ユニット
１４１、１６１  硬貨リジェクト部
１４３、１４４、１６２  硬貨一時保留部
１４５、１４６、１６３  硬貨返却箱
１５３、１５４、１６４  硬貨収納部
２０７  回収カセット
２０７ａ  鍵穴
２０７ｂ  カセット扉
【図１】
2016162227.tif 000003
【図２】
2016162227.tif 000004
【図３】
2016162227.tif 000005
【図４】
2016162227.tif 000006
【図５】
2016162227.tif 000007
【図６】
2016162227.tif 000008
【図７】
2016162227.tif 000009
【図８】
2016162227.tif 000010
【図９】
2016162227.tif 000011
【図１０】
2016162227.tif 000012
【図１１】
2016162227.tif 000013
【図１２】
2016162227.tif 000014